(57)【要約】【課題】被写体の撮影画像に加え、それとは異なる画像も印刷することができる写真自販機を提供する。【解決手段】被写体２を撮影するカメラ６と、上記カメラ６で撮影した被写体２の撮影画像Ａを表示するディスプレイ８と、上記撮影画像Ａとは異なる入力画像Ｂを入力するタッチペン１２と、上記印刷媒体１５に上記入力画像Ｂを印刷する第１プリンタ９と、上記撮影画像Ａを印刷する第２プリンタ１０とを備え、第１画層メモリ２１の入力画像Ｂと第２画層メモリ２２の撮影画像Ａを重ねて合成した合成画像をディスプレイ８に表示して使用者２に確認させ、第１画層メモリ２１の入力画像Ｂを第１プリンタ９により印刷したのち、第２画層メモリ２２の撮影画像Ａを第２プリンタ１０で印刷することにより、ディスプレイ８で確認された合成画像を印刷媒体１５上に印刷出力する。【選択図】図１
2004007570.tif 000002
【特許請求の範囲】
【請求項１】
被写体を撮影してその写真を販売する写真自販機であって、被写体を撮影するカメラと、上記カメラで撮影した被写体の撮影画像Ａを表示する画像表示手段と、上記撮影画像Ａとは異なる入力画像Ｂを入力する画像入力手段と、印刷媒体に上記入力画像Ｂを印刷する第１印刷手段と、上記撮影画像Ａを印刷する第２印刷手段とを備え、
第１画層メモリの入力画像Ｂと第２画層メモリの撮影画像Ａを重ねて合成した合成画像を画像表示手段に表示して使用者に確認させ、第１画層メモリの入力画像Ｂを第１印刷手段により印刷したのち、第２画層メモリの撮影画像Ａを第２印刷手段で印刷することにより、画像表示手段で確認された合成画像を印刷媒体上に印刷出力することを特徴とする写真自販機。
【請求項２】
上記印刷媒体には、少なくとも表面に撮影画像Ａを印刷するインクａが親和する受容層が形成され、上記入力画像Ｂを印刷するインクｂが、上記印刷媒体表面の受容層を覆うことにより、あらかじめ印刷された入力画像Ｂのうえには撮影画像Ａが印刷されないようになっている請求項１記載の写真自販機。
【請求項３】
画像入力手段に入力された入力画像Ｂ１，Ｂ２のうち一部の入力画像Ｂ１が、第２画層メモリに格納される請求項１または２記載の写真自販機。
【請求項４】
第１画層メモリに格納される入力画像Ｂ２の入力が終了すると、第１印刷手段による印刷が開始される請求項３記載の写真自販機。
【請求項５】
被写体をカメラで撮影するステップと、上記カメラで撮影した被写体の撮影画像Ａを表示する画像表示ステップと、上記撮影画像Ａとは異なる入力画像Ｂを入力する画像入力ステップと、印刷媒体に上記入力画像Ｂを印刷する第１印刷ステップと、上記撮影画像Ａを印刷する第２印刷ステップとを備え、
第１画層メモリの入力画像Ｂと第２画層メモリの撮影画像Ａを重ねて合成した合成画像を画像表示手段に表示して使用者に確認させ、第１画層メモリの入力画像Ｂを第１印刷ステップにより印刷したのち、第２画層メモリの撮影画像Ａを第２印刷ステップで印刷することにより、画像表示ステップで確認された合成画像を印刷媒体上に印刷出力することを特徴とする写真自販方法。
【発明の詳細な説明】
【０００１】
【発明の属する技術分野】
本発明は、ゲームセンター等に設置され、硬貨等が投入されて被写体を撮影し、シール，カード，紙類，フィルム等にプリントアウトする写真自販機および方法に関するものである。
【０００２】
【従来の技術】
近年、ゲームセンター等において、写真を撮影してシールプリント等にする写真自販機が数多く設置されている。このような写真自販機としては、一般に、図７に示すようなものが用いられている。このものは、本体５２の内部に、略４５°の角度をもってハーフミラー５３が設けられている。このハーフミラー５３の奥に、被写体を撮影するカメラ５５が設けられ、ハーフミラー５３の下方には、上記カメラ５５で撮影された画像を表示するモニタ５６が設けられている。図において５１はコントローラ、５７は写真プリント５８を印刷するプリンタである。
【０００３】
上記写真自販機では、ハーフミラー５３を透してカメラ５５で撮影された画像がモニタ５６に表示され、このモニタ５６に表示された画像がハーフミラー５３に反射して被写体５４によって確認できるようになっている。そして、被写体５４は、モニタ５６に映った自分の姿を確認しながら所望のポーズをとり、好みのところでコントローラ５１を操作して静止画を撮影することが行われる。そして、この静止画は、適当なフレームや前景の画像と合成されて写真プリント５８として印刷される。
【０００４】
【発明が解決しようとする課題】
しかしながら、最近は、写真自販機利用人口の増加とともに、そのニーズも多様化している。そこで、これらのニーズに応えるため、被写体の画像に合成されるフレームや前景として各種の趣向を凝らしたものも数多く提供されているが、単にフレームと顔写真とを合成するだけの画一的なものではもう満足されなくなってきている。
【０００５】
本発明は、このような事情に鑑みなされたもので、被写体の撮影画像に加え、それとは異なる画像が印刷された写真を提供できる写真自販機および方法の提供を目的とする。
【０００６】
【課題を解決するための手段】
上記の目的を達成するため、本発明の写真自販機は、被写体を撮影してその写真を販売する写真自販機であって、被写体を撮影するカメラと、上記カメラで撮影した被写体の撮影画像Ａを表示する画像表示手段と、上記撮影画像Ａとは異なる入力画像Ｂを入力する画像入力手段と、印刷媒体に上記入力画像Ｂを印刷する第１印刷手段と、上記撮影画像Ａを印刷する第２印刷手段とを備え、
第１画層メモリの入力画像Ｂと第２画層メモリの撮影画像Ａを重ねて合成した合成画像を画像表示手段に表示して使用者に確認させ、第１画層メモリの入力画像Ｂを第１印刷手段により印刷したのち、第２画層メモリの撮影画像Ａを第２印刷手段で印刷することにより、画像表示手段で確認された合成画像を印刷媒体上に印刷出力することを要旨とする。
【０００７】
また、本発明の写真自販方法は、被写体をカメラで撮影するステップと、上記カメラで撮影した被写体の撮影画像Ａを表示する画像表示ステップと、上記撮影画像Ａとは異なる入力画像Ｂを入力する画像入力ステップと、印刷媒体に上記入力画像Ｂを印刷する第１印刷ステップと、上記撮影画像Ａを印刷する第２印刷ステップとを備え、
第１画層メモリの入力画像Ｂと第２画層メモリの撮影画像Ａを重ねて合成した合成画像を画像表示手段に表示して使用者に確認させ、第１画層メモリの入力画像Ｂを第１印刷ステップにより印刷したのち、第２画層メモリの撮影画像Ａを第２印刷ステップで印刷することにより、画像表示ステップで確認された合成画像を印刷媒体上に印刷出力することを要旨とする。
【０００８】
本発明は、第１画層メモリの入力画像Ｂと第２画層メモリの撮影画像Ａを重ねて合成した合成画像を画像表示手段に表示して使用者に確認させ、第１画層メモリの入力画像Ｂを第１印刷手段により印刷したのち、第２画層メモリの撮影画像Ａを第２印刷手段で印刷することにより、画像表示手段で確認された合成画像を印刷媒体上に印刷出力する。このため、利用者は、カメラで撮影された被写体の撮影画像Ａだけでなく、これとは異なる画像Ｂが印刷された多様な写真を楽しむことができる。例えば、撮影画像Ａとは異なる画像Ｂをその場で選んだり入力することも可能になる。また、被写体が自分の気に入った好みの入力画像Ｂを入力できるようになり、さらに楽しみが大きくなる。さらに、被写体が、画像表示手段に表示される自分の撮影画像Ａを見て仕上がり状態を確認しながら、ポーズをとったり好みの画像Ｂを入力したりできるようになる。また、確認した合成画像を印刷出力できる。
【０００９】
本発明において、上記印刷媒体には、少なくとも表面に撮影画像Ａを印刷するインクａが親和する受容層が形成され、上記入力画像Ｂを印刷するインクｂが、上記印刷媒体表面の受容層を覆うことにより、あらかじめ印刷された入力画像Ｂのうえには撮影画像Ａが印刷されないようになっている場合には、あらかじめ印刷された画像Ｂのうえには撮影画像Ａが印刷されないようになっている場合、あるいは、撮影画像Ａとは異なる画像Ｂを印刷するインクｂとして顔料インクが用いられている場合には、画像Ｂが撮影画像Ａのなかで浮かび上がり、装飾性の高い写真を提供することができる。
【００１０】
本発明において、上記写真がシールプリントである場合には、撮影した写真をシールとして身の回り品その他所望の箇所に貼り付けられ、さらに楽しみが大きくなる。
【００１１】
【発明の実施の形態】
つぎに、本発明の実施の形態を詳しく説明する。
【００１２】
図１は、本発明の写真自販機の一実施の形態を示す図である。この写真自販機は、筐体１の内部および表面に各種の装置が設けられている。ここで、説明の便宜上、筐体１において、使用者（被写体）２と対面する側（図１の左側）を筐体１の前側とし、反対側（図１の右側）を筐体１の後側とする。
【００１３】
上記筐体１の内部空間には、被写体２を撮影するカメラ６と、上記カメラ６から画像信号を受信して画像の合成等を行うコンピュータ装置７と、このコンピュータ装置７から送信された合成画像等の画像信号を受信して画像を表示するディスプレイ８とが設けられている。
【００１４】
上記筐体１のカメラ６の前側に対応する部分には、ガラス・プラスチック等の透明板１４が嵌めこまれている。また、上記ディスプレイ８は、被写体２に向かって斜め上向きに配設され、ディスプレイ８に表示された画像が使用者２によって目視されるようになっている。
【００１５】
さらに、上記筐体１の前面には、操作部１６が設けられている。この操作部１６は、使用者２が各種の操作を行なうボタン・レバー等を有し、コンピュータ装置７に操作信号を送信する。
【００１６】
また、上記操作部１６には、タッチペン１２が備えられている。このタッチペン１２は、その先端をディスプレイ（例えば、ＬＣＤタブレット，タッチパネル等が用いられる）８の表面に接触させ、文字や図形等を描くことにより画像を手書き入力等できるようになっている。そして、上記手書き入力された文字・図形等の画像データがディスプレイ８に表示され、印刷媒体１５に印刷される。
【００１７】
この例において、使用者２がディスプレイ８から見る合成画像は、コンピュータ装置７に予め記憶された記憶画像（所望のフレームや前景等、以下「フレーム画像Ｃ」という）に、カメラ６による被写体２の撮影画像Ａが合成されたものである。そして、被写体２による操作部１６の操作によって合成画像が停止され、合成画像の停止後、タッチペン１２による手書き入力等がされると、この入力画像Ｂが上記合成画像にさらに合成された画像が表示されるようになっている。
【００１８】
また、上記筐体１の内部空間には、コンピュータ装置７から送信された合成画像の信号を受信し、この合成画像を印刷媒体１５に印刷して写真を生成する第２プリンタ１０が設けられている。この第２プリンタ１０としては、写真画質の印刷に適するものであれば、各種のものが用いられる。例えば、昇華型プリンタ，インクジェット式プリンタ，カラーレーザプリンタ等があげられるが、これらの中でも、画質が優れるうえ印刷時間も比較的短い昇華型プリンタが最も好適に用いられる。
【００１９】
この例では、上記第２プリンタ１０として、昇華型プリンタ（例えば、三菱電機社製ＣＰ−７０００ＤＳシリーズ，神鋼電機社製ＣＨＣ−Ｓ１０４５シリーズ等）が用いられ、後述するメタリック色以外の普通色の印刷が行われる。この昇華型プリンタでは、染料インクを熱溶融させ、この染料インクと親和する印刷媒体１５の表面に色素を浸透させて印刷が行われる。
【００２０】
上記染料インクと親和する印刷媒体１５としては、例えば塩化ビニルシートが用いられる。また、紙やＰＥＴシートのように、そのままでは、上記染料インクと親和しないものの場合には、あらかじめ表面に染料インクと親和する受容層をコーティングして用いることができる。
【００２１】
また、上記第２プリンタ１０での印刷に先だって、印刷媒体１５に、画像を印刷する第１プリンタ９が設けられている。この第１プリンタ９としては、上記印刷媒体１５に画像を印刷しうるものであれば、各種のものを用いることができるが、顔料インクを熱転写しうる熱転写型プリンタや溶融型プリンタが好適に用いられる。
【００２２】
上記第１プリンタ９で画像を印刷する際に用いるインクとしては、例えば、不透明の顔料インクが好適に用いられる。第２プリンタ１０での印刷に先だって、第１プリンタ９により上記印刷媒体１５に顔料インクを用いて印刷することにより、上記顔料インクが、第２プリンタ１０で使用される染料インクと親和する印刷媒体１５の表面を覆い、第１プリンタ９で印刷された画像のうえには第２プリンタ１０による印刷がされないようになる。これにより、画用紙にクレパスで絵を描いた後に水彩絵の具で着色を施したときのように、顔料インクで印刷された画像が鮮明に浮かび上がるようになる。
【００２３】
上記顔料インクに用いられる顔料としては、特に限定するものではなく、各種のものが使用される。例えば、アゾ顔料，フタロシアニン，縮合多環顔料等の各種有機顔料や、酸化チタンや亜鉛華等の各種酸化物，アルミナホワイト等の各種水酸化物，カドミウムエロー等の各種硫化物をはじめ、クロム酸，硫酸塩，炭酸塩，珪酸塩，燐酸塩，砒酸塩，フェロシアン化物，炭素，金属粉等の各種無機顔料等があげられる。
【００２４】
これらのなかでも、特に、ブロンズ粉やアルミニウム粉等を用いた金色，銀色等のメタリック顔料インクが、上書き画像がキラキラ光る装飾的な効果が高く、好適に用いられる。また、各種蛍光顔料，パール顔料，蓄光顔料，示温顔料等も装飾的に優れているため、好適に用いられる。
【００２５】
この例では、上記第１プリンタ９として、熱転写型プリンタや溶融型プリンタ（例えば、アルプス電気社製ＭＤ−５０００シリーズ等）が用いられ、金色および銀色のメタリック顔料のインクによる印刷が行われる。
【００２６】
そして、上記第１プリンタ９および第２プリンタ１０で印刷された印刷媒体１５は、筐体１前面に形成された送出口１９から送出されるようになっている。図において１３は、第１プリンタ９から写真を送出する送出口であり、１１は、第１プリンタ９の送出口１３から送出された写真を第２プリンタ１０に送るシュータである。
【００２７】
また、筐体１の前面には、コイン投入口（図示せず）が設けられ、筐体１内部のコイン投入口に隣接した位置に、投入したコインを検出してコンピュータ装置７に検出信号を送信するコイン検出部１７（図２参照）が設けられる。また、筐体１前面の適所には、コンピュータ装置７から音声信号を受信して音声出力するスピーカ１８（図２参照）、被写体２を照射するライト（図示せず）が設けられている。
【００２８】
そして、上記被写体２の背後には、外部からの光を遮断するカーテン３が配設されている。このカーテン３は、筐体１の前面の上部および下部から突出された支持フレーム４，５によって支持される。上記カーテン３の内面には、画像の合成手法に応じた色彩が施される。例えば、クロマキー合成であれば、カーテン３の内面全体に緑，青等のクロマキー合成に適当な色の着色が施される。
【００２９】
つぎに、上記コンピュータ装置７のシステム構成について詳しく説明する。
【００３０】
図２に示すように、上記コンピュータ装置７は、画像の合成を行う画像合成手段３０と、カメラ６による撮影や画像の合成等の制御を行う撮影・合成制御部３１とを備えている。上記撮影・合成制御部３１は、コイン検出部１７からの検出信号を受信することにより、撮影や画像合成等の制御を開始するようになっている。
【００３１】
また、上記コンピュータ装置７には、所定のフレーム画像を格納するフレーム画像メモリ３３が設けられている。一方、上記ディスプレイ８には、タッチペン１２によって手書き画像等がペン入力されるペン入力部３５と、合成画像を表示する表示部３６とが設けられている。
【００３２】
そして、上記画像合成手段３０は、カメラ６による撮影画像とフレーム画像メモリ３３に格納されたフレーム画像とを合成してディスプレイ８の表示部３６に合成するようになっている。また、上記画像合成手段３０は、上記被写体２による操作部１６の操作により上記合成画像を固定し、この固定された静止画像に、タッチペン１２によってディスプレイ８のペン入力部３５に入力された文字や図形等の手書き画像等を合成するようになっている。
【００３３】
上記画像合成手段３０で合成された合成画像（撮影画像とフレーム画像との合成画像ならびに静止画像とペン入力画像との合成画像）は、ディスプレイ８の表示部３６に表示されるようになっている。
【００３４】
さらに、上記コンピュータ装置７には、スピーカ１８から音声を出力させる音声出力回路３２が設けられている。また、上記コンピュータ装置７は、上記第１および第２プリンタ９，１０による印刷を制御する印刷制御部３４を備えている。
【００３５】
ここで、カメラ６で撮影された被写体２の撮影画像Ａと、タッチペン１２で入力されたペン入力画像Ｂ、ならびにフレーム画像Ｃとの、３つの画像のデータがディスプレイ８，画像合成手段３０，第１および第２プリンタ９，１０に転送される状態について詳しく説明する。
【００３６】
すなわち、図３に示すように、ディスプレイ８の表示部３６には、第１および第２画層２３，２４の２つの画層が重なった状態で合成画像が表示される。そして、画像合成手段３０には、上記第１および第２画層２３，２４にそれぞれ対応する第１および第２画層メモリ２１，２２が設けられている。
【００３７】
上記第１画層メモリ２１には、画像生成装置３９で生成されたペン入力画像のうち、金・銀等のメタリック色の画像Ｂ２が格納される。一方、上記第２画層メモリ２２には、カメラ６で撮影された被写体２の撮影画像Ａ，フレーム画像メモリ３３に格納されていたフレーム画像Ｃが合成されて格納される。また、タッチペン１２で入力されたペン入力画像のうち、メタリック色以外の普通色の画像Ｂ１も、第２画層メモリ２２に格納される。
【００３８】
そして、第１画層メモリ２１に格納されたタッチペン１２でのペン入力画像のうちメタリック色の画像Ｂ２は、第１画層２３に表示される。また、第２画層メモリ２２に格納された被写体２の撮影画像Ａとフレーム画像Ｃおよびタッチペン１２でのペン入力画像のうち普通色の画像Ｂ１は、合成されて第２画層２４に表示される。そして、被写体２は、重なった第１画層２３と第２画層２４を図示の矢印の方向から見ることにより、すべての画像Ａ，Ｂ１，Ｂ２，Ｃが合成された画像を見ることができる。
【００３９】
一方、上記第１画層メモリ２１に格納された画像（メタリック色の画像である）の画像データＢ２が第１プリンタ９に送られてメタリック色の画像Ｂ２が印刷媒体１５に印刷される。ついで、上記メタリック色の画像Ｂ２が印刷された印刷媒体１５が第２プリンタ１０に送られると、第２画層メモリ２２に格納されていた合成画像（いずれも普通色の画像である）の画像データＡ＋Ｂ１＋Ｃが、第２プリンタ１０に送られ、この第２プリンタ１０で印刷されて写真が生成されるようになっている。
【００４０】
つぎに、上記写真自販機の動作について、図４に示すフローチャートをもとに説明する。なお、図において「Ｓ」は、ステップを意味する。
【００４１】
まず、使用者２がコインを投入すると、フレーム画像メモリ３３に格納されたフレーム画像をディスプレイ８の表示部３６に表示して、ディスプレイ８上の画像およびスピーカ１８からの音声により使用者２に所望のフレーム画像の選択を支持する。なお、ここで選択されるフレーム画像は、ひとつでもよいし、ふたつ以上でも差し支えない。
【００４２】
使用者２が所望のフレーム画像を選択すると（Ｓ１）、カメラ６による被写体２の撮影が開始される（Ｓ２）。ついで、画像合成手段３０により、カメラ６による撮影画像Ａとフレーム画像Ｃとが合成され、ディスプレイ８の表示部３６に合成画像が表示される（Ｓ３）。
【００４３】
そして、使用者２がディスプレイ８の表示画像を見ながら被写体２の位置調整を完了した後に、操作部１６の調整完了ボタンを押すと、使用者２にポーズをとるよう指示され、それから所定時間後に画像合成手段３０により合成画像が固定される（Ｓ４）。このとき、ディスプレイ８には、そのときの合成画像が静止画像として表示される。
【００４４】
つぎに、使用者２に上記静止画像のプレビューの確認を促し、使用者２が撮りなおしを希望する場合は、ステップ２に戻り、新たに撮影が開始される。一方、使用者２が撮りなおしを希望しない場合は、使用者２にタッチペン１２によるペン入力を促すよう指示する。
【００４５】
このとき、まず、メタリック色のペン入力が指示され、使用者２は、タッチペン１２の先端をディスプレイ８表面のペン入力部３５に接触させて所望の文字や図形等の画像を入力する（Ｓ６）。例えば、図５に示すように、金色のペンのアイコン２５Ａや銀色のペンのアイコン２５Ｂをタップしてからディスプレイ８の表面に手書きで文字等を描くことにより行われる。また、また、星マークのアイコン２６やハートマークのアイコン２７をタップして星マークやハートマークを静止画像の任意の位置に配置することもできる。そして、入力されたメタリック色の文字等の画像データＢ２は、第１画層メモリ２１に格納され、第１画層２３に表示される（図３参照）。
【００４６】
メタリック色でのペン入力が終了すると、使用者２に、普通色でのペン入力を促すよう指示するとともに、第１画層メモリ２１の画像データが第１プリンタ９に送られ、第１プリンタ９によるメタリック色の画像の印刷が開始される（Ｓ７）。
【００４７】
一方、普通色のペン入力は、例えば、普通色のペンのアイコン２５Ｃをタップしてからディスプレイ８の表面に手書きで文字等を描くことにより行われる（Ｓ８）。そして、入力された普通色の文字等の画像データＢ１は、第２画層メモリ２２に格納され、第２画層２４に表示される（図３参照）。
【００４８】
そして、普通色のペン入力が終了すると、第２画層メモリ２２の画像データが第２プリンタ１０に送られる。上記第１プリンタ９による印刷が終了したのち、印刷された写真が第２プリンタ１０に受け渡され、第２プリンタ１０による普通色の画像の印刷が開始される（Ｓ９）。このとき、第１プリンタ９で印刷された顔料インクが、印刷媒体１５の表面を覆い、この覆われた部分には第２プリンタ１０で印刷されないため、顔料インクで印刷されたメタリック色の画像Ｂ１が鮮明に浮かび上がる。そして、被写体２の撮影画像Ａとフレーム画像Ｃおよび普通色のペン入力画像Ｂ１が合成された写真と、メタリック色のペン入力画像Ｂ２とが印刷された印刷媒体１５が送出される。
【００４９】
このように、上記写真自販機によれば、カメラで撮影された被写体の撮影画像Ａだけでなく、これとは異なるメタリック色の画像Ｂ２が印刷され、利用者は、装飾性が高く、個性的で多様な写真が提供される。さらに、上記写真自販機は、画像を手書き入力するタッチペン１２を備えているため、被写体２が自分の好みの画像を手書き等で入力でき、さらに楽しみが大きくなる。
【００５０】
また、上記写真自販機は、ディスプレイ８に、カメラ６で撮影された被写体２の画像とペン入力画像との合成画像が表示されるようになっているため、被写体２が、ディスプレイ８に表示される自分の画像を見て仕上がり状態を確認しながら、ポーズをとったり好みの画像を入力したりできる。
【００５１】
なお、上記実施の形態では、第１プリンタ９でメタリック色の印刷を行うようにしたが、これに限定するものではなく、白，黒，赤，黄等各種の色の印刷を行うようにしてもよい。
【００５２】
図６は、本発明の第２の実施の形態の写真自販機を示す。このものは、カメラ６で撮影された撮影画像Ａ以外のメタリック色の画像Ｂを印刷する第１プリンタ９が設けられておらず、カメラ６で撮影された撮影画像Ａを普通色で印刷する第２プリンタ１０だけが設けられている。そして、この写真自販機では、印刷媒体１５として、あらかじめ印刷所等でメタリック色の顔料インク等により、撮影画像以外の画像Ｂが印刷されたものが用いられる。
【００５３】
上記印刷媒体１５は、第２プリンタ１０で使用される染料インクと親和する画像Ｂの部分の表面が顔料インクで覆われ、この覆われた部分は、第２プリンタ１０による印刷がされない。このため、上記印刷媒体１５に第２プリンタ１０によりカメラ６で撮影された撮影画像Ａを印刷すると、メタリック色の画像Ｂが鮮明に浮かび上がった写真となる。
【００５４】
このように、上記写真自販機によれば、利用者は、カメラで撮影された被写体の撮影画像Ａだけでなく、これとは異なるメタリック色の画像Ｂが印刷された装飾性の高い個性的で多様な写真を楽しむことができる。
【００５５】
なお、上記各実施の形態において、上記カメラ６としては、デジタルカメラを用いることもできるし、ビデオカメラを用いることもでき、特に限定するものではない。また、上記各実施の形態において、印刷媒体１５としては、特に限定するものではなく、例えば、紙類，シール，プラスチックフィルム，カード類，布，不織布，ガラス板，樹脂板等各種のものを用いることができる。この場合、上述したように、あらかじめ表面に染料インクと親和する受容層を形成させて用いられる。
【００５６】
さらに、上記各実施の形態では、１台のカメラ６を備えた例を示したが、これに限定するものではなく、複数台のカメラ６を備えるようにしても差し支えない。
【００５７】
【発明の効果】
以上のように、本発明によれば、利用者は、カメラで撮影された被写体の撮影画像Ａだけでなく、これとは異なる画像Ｂが印刷された多様な写真を楽しむことができる。例えば、撮影画像Ａとは異なる画像Ｂをその場で選んだり入力することも可能になる。また、被写体が自分の気に入った好みの入力画像Ｂを入力できるようになり、さらに楽しみが大きくなる。さらに、被写体が、画像表示手段に表示される自分の撮影画像Ａを見て仕上がり状態を確認しながら、ポーズをとったり好みの画像Ｂを入力したりできるようになる。また、確認した合成画像を印刷出力できる。
【図面の簡単な説明】
【図１】本発明の写真自販機の一実施の形態を示す縦断面図である。
【図２】上記写真自販機のシステム構成図である。
【図３】ディスプレイと画像合成手段と第１および第２プリンタとのデータ転送状態を示す説明図である。
【図４】上記写真自販機の動作を説明するフローチャート図である。
【図５】タッチペンで入力する状態を説明する図である。
【図６】本発明の写真自販機の第２の実施の形態を示す縦断面図である。
【図７】従来の写真自販機を示す説明図である。
【符号の説明】
２　被写体
６　カメラ
９　第１プリンタ
１０　第２プリンタ
１５　印刷媒体
【図１】
2004007570.tif 000003
【図２】
2004007570.tif 000004
【図３】
2004007570.tif 000005
【図４】
2004007570.tif 000006
【図５】
2004007570.tif 000007
【図６】
2004007570.tif 000008
【図７】
2004007570.tif 000009